(57)【要約】【課題】通風ダクトを流れる冷風又は温風を有効に利用することができるエアコン吹出口用アダプタ装置及びこのアダプタ装置を備えた建設機械を提供する。【解決手段】アダプタ装置３８は、サイドトリム３６の上面４４に配設された有底円筒形状の受け容器４６であって、その外周壁５６に通風ダクト６０の吹出端部６８が連結される容器側通風口５８を含む受け容器４６と、受け容器４６に収容される有底円筒形状のアダプタ４８であって、胴体７２の一方に設けられた閉塞端７４側及び胴体７２の他方に設けられた開口端７６側の何れからも受け容器４６に対し挿抜可能なアダプタ４８とを備え、アダプタ４８は、胴体７２にアダプタ側通風口８０，８２と、導風口８４，８６とを含み、これらアダプタ側通風口８０，８２及び導風口８４，８６は、受け容器４６内に位置付けられているとき、容器側通風口５８に相対する位置に設けられている。【選択図】図４
2010162984.tif 000002
【特許請求の範囲】
【請求項１】
建設機械の運転室内にエアコンユニットからの冷風又は温風を導く通風ダクトの吹出端部に配設されるエアコン吹出口用アダプタ装置において、
前記運転室の内装パネルに配設された筒形状の受け容器であって、一端に前記内装パネルの表面に露出する容器開口端を有するとともに、他端に容器端壁を有し、前記内装パネルの内側に位置付けられている部分に前記通風ダクトの吹出端部に接続された容器側通風口が設けられている受け容器と、
前記受け容器内にその両端のうちの一方を露出させて収容される筒形状のアダプタであって、一端にアダプタ開口端を有するとともに、他端にアダプタ端壁を有し、前記受け容器に対し、前記アダプタ開口端側及び前記アダプタ端壁側の何れからも挿抜可能で、前記アダプタ開口端から保持すべき物品の受け入れが可能なアダプタとを具備し、
前記アダプタは、
その外壁に設けられ、前記アダプタ端壁側が前記受け容器内に没入した状態にあるときには前記容器側通風口に対応する位置に位置付けられ、これに対し、前記アダプタ開口端側が前記受け容器内に没入した状態にあるときには前記受け容器から露出した位置に位置付けられるアダプタ側通風口と、
前記アダプタ開口端側が前記受け容器内に没入した状態にあるとき、前記アダプタ内に前記通風ダクトからの風を導入する導風手段と
を含むことを特徴とするエアコン吹出口用アダプタ装置。
【請求項２】
前記導風手段は、前記アダプタの外周壁に設けられ、前記容器側通風口に対応する位置に位置付け可能な導風口を有することを特徴とする請求項１に記載のエアコン吹出口用アダプタ装置。
【請求項３】
前記容器側通風口は前記容器端壁に形成されており、前記導風口は前記アダプタ開口端と兼用されていることを特徴とする請求項２に記載のエアコン吹出口用アダプタ装置。
【請求項４】
前記アダプタ側通風口に複数の整流フィンを備えていることを特徴とする請求項１〜３の何れかに記載のエアコン吹出口用アダプタ装置。
【請求項５】
前記アダプタ側通風口に複数の羽板が揺動可能に配設されており、前記羽板がリンク機構により連動可能に連結されていることを特徴とする請求項１〜３の何れかに記載のエアコン吹出口用アダプタ装置。
【請求項６】
前記受け容器は、水平方向から鉛直方向まで任意の角度で設置されていることを特徴とする請求項１〜５の何れかに記載のエアコン吹出口用アダプタ装置。
【請求項７】
前記アダプタが前記受け容器から飛び出すことを防止するストッパ手段を備えていることを特徴とする請求項１〜６の何れかに記載のエアコン吹出口用アダプタ装置。
【請求項８】
前記ストッパ手段は、
前記受け容器の内周部に設けられた係止溝と、
前記アダプタの外周部に設けられた係止片であって、前記係止溝と係合する係止片と
を含むことを特徴とする請求項７に記載のエアコン吹出口用アダプタ装置。
【請求項９】
前記アダプタは、その内部に収容した前記物品が外へ飛び出すことを防止する飛び出し防止手段を備えていることを特徴とする請求項１〜８の何れかに記載のエアコン吹出口用アダプタ装置。
【請求項１０】
前記飛び出し防止手段は、前記アダプタの内部に設けられた段差であることを特徴とする請求項９に記載のエアコン吹出口用アダプタ装置。
【請求項１１】
請求項１〜１０の何れかに記載のエアコン吹出口用アダプタ装置を備えたことを特徴とする建設機械。
【発明の詳細な説明】
【技術分野】
【０００１】
本発明は、エアコン吹出口用アダプタ装置に関し、より詳しくは、建設機械のエアコン吹出口に配設されるアダプタ装置及びこのアダプタ装置を備えた建設機械に関する。
【背景技術】
【０００２】
建設機械の運転室内には、オペレータの作業環境を快適なものとするため、エアコンディショナ（以下、エアコンという）が装備されている。このエアコンは、通風ダクトを通じて供給される冷風又は温風を運転室内の所定位置に配置された空気吹出口から吹き出し、運転室内を冷房又は暖房する。
従来、通風ダクト内を通る冷風又は温風は、容器に入った飲料の保冷又は保温にも利用されている。ここでの飲料の保冷又は保温は、飲料容器を保持するカップホルダ若しくはボトルホルダに通風ダクト内の冷風又は温風を導き、容器に風を当てることにより行う。
【０００３】
この種のカップホルダとしては、例えば、特許文献１に記載されたカップホルダが知られている。
特許文献１のカップホルダは、運転室内の所定位置、例えば、運転席の前方右側のトリムカバーに設けられ、エアコンの空気吹出口の上部に位置付けられている。それ故、通風ダクトはトリムカバーの内部にて、前記空気吹出口及びカップホルダまで延設されている。このカップホルダは、通風ダクトに連通可能な通風口を有しており、この通風口を通じて通風ダクト内の冷風又は温風が飲料容器に吹き付けられることになる。
【先行技術文献】
【特許文献】
【０００４】
【特許文献１】特開２００５−１１２３０４号公報
【発明の概要】
【発明が解決しようとする課題】
【０００５】
ところで、特許文献１に記載のカップホルダの場合、通風ダクトはトリムカバー内にて空気吹出口用のダクト部分と、カップホルダ専用のダクト部分とに分岐されているため、通風ダクトの構造が複雑なものとなる。
しかしながら、建設機械によっては、カップホルダを装備していない建設機械もあるが、このような建設機械にあっても、トリムカバー内の通風ダクトは上述した分岐構造となっており、カップホルダのためのダクト部分が無駄となって不経済である。
【０００６】
また、カップホルダを装備した建設機械であっても、カップホルダは常に使われているわけではない。カップホルダに飲料容器を載せていない場合、特許文献のカップホルダの通風口は閉じられ、カップホルダ内への空気の流れは遮断されている。しかしながら、このような状態にあっても、カップホルダ専用のダクト部分に冷風又温風が導かれることから、ここでの冷風又は温風は、無駄なものとなってしまう。
【０００７】
仮に、カップホルダに飲料容器を載せない場合に通風口を開放して、この通風口から冷風又は温風を吹き出させたとしても、ここでの冷風又は温風は、カップホルダ内で旋回し、運転室内に分散されるだけなので、オペレータへ効果的に風を送ることはできず、空気吹出口としては有効に機能しない。
本発明は、上記の事情に基づいてなされたものであり、その目的とするところは、飲料容器用ホルダを使用しないときでも、通風ダクト内を流れる冷風又は温風を有効に利用することができるエアコン吹出口用アダプタ装置及びこのアダプタ装置を備えた建設機械を提供することにある。
【課題を解決するための手段】
【０００８】
上記目的を達成するために、本発明のエアコン吹出口用アダプタ装置は、建設機械の運転室内にエアコンユニットからの冷風又は温風を導く通風ダクトの吹出端部に配設されるエアコン吹出口用アダプタ装置において、前記運転室の内装パネルに配設された筒形状の受け容器であって、一端に前記内装パネルの表面に露出する容器開口端を有するとともに、他端に容器端壁を有し、前記内装パネルの内側に位置付けられている部分に前記通風ダクトの吹出端部に接続された容器側通風口が設けられている受け容器と、前記受け容器内にその両端のうちの一方を露出させて収容される筒形状のアダプタであって、一端にアダプタ開口端を有するとともに、他端にアダプタ端壁を有し、前記受け容器に対し、前記アダプタ開口端側及び前記アダプタ端壁側の何れからも挿抜可能で、前記アダプタ開口端から保持すべき物品の受け入れが可能なアダプタとを具備し、前記アダプタは、その外壁に設けられ、前記アダプタ端壁側が前記受け容器内に没入した状態にあるときには前記容器側通風口に対応する位置に位置付けられ、これに対し、前記アダプタ開口端側が前記受け容器内に没入した状態にあるときには前記受け容器から露出した位置に位置付けられるアダプタ側通風口と、前記アダプタ開口端側が前記受け容器内に没入した状態にあるとき、前記アダプタ内に前記通風ダクトからの風を導入する導風手段とを含むことを特徴とするものである（請求項１）。
【０００９】
請求項１に記載のエアコン吹出口用アダプタ装置によれば、アダプタをアダプタ端壁側から受け容器内に挿入すると、アダプタ開口端が内装パネルの表面から露出するので、この開口端の開口から飲料容器を入れることにより、アダプタは、飲料容器のホルダとして機能する。そして、アダプタ側通風口からアダプタ内に保持されている飲料容器に対し、エアコンユニットからの冷風又は温風が吹き付けられ、飲料の保冷又は保温ができる。
【００１０】
一方、アダプタをアダプタ開口端側から受け容器内に挿入すると、アダプタ側通風口が運転室内に露出する。そして、導風手段によりアダプタ内に導かれたエアコンユニットからの冷風又は温風が、アダプタ側通風口を介して運転室内に吹き出すので、斯かるアダプタは、エアコンの空気吹出口として機能する。
このように、飲料容器のホルダを使用しない場合、アダプタを逆方向から受け容器に挿入すれば、飲料容器ホルダの部分でエアコンユニットからの風を遮断することなく、運転室内に冷風又は温風を供給でき、通風ダクト内の冷風又は温風を有効に利用することができる。
【００１１】
具体的には、前記導風手段は、前記アダプタの外周壁に設けられ、前記容器側通風口に対応する位置に位置付け可能な導風口を有する構成とすることが好ましい（請求項２）。
請求項２に記載のエアコン吹出口用アダプタ装置によれば、導風口を介してアダプタ内にエアコンユニットからの風を導入することができる。
また、前記容器側通風口は前記容器端壁に形成されており、前記導風口は前記アダプタ開口端と兼用されている構成とすることが好ましい（請求項３）。
【００１２】
請求項３に記載のエアコン吹出口用アダプタ装置によれば、アダプタの開口端の開口をエアコンユニットからの風を導入する導風口として利用できるので、構成を簡素化することができる。
また、前記アダプタ側通風口に複数の整流フィンを備えている構成とすることが好ましい（請求項４）。
【００１３】
請求項４に記載のエアコン吹出口用アダプタ装置によれば、アダプタを空気吹出口として使用する際、冷風又は温風を整流でき、効率よくオペレータに風を送ることができる。
また、前記アダプタ側通風口に複数の羽板が揺動可能に配設されており、前記羽板がリンク機構により連動可能に連結されている構成とすることが好ましい（請求項５）。
請求項５に記載のエアコン吹出口用アダプタ装置によれば、複数の羽板が揺動することにより風向を任意に調整することができる。
【００１４】
また、前記受け容器は、水平方向から鉛直方向まで任意の角度で設置されている構成とすることが好ましい（請求項６）。
請求項６に記載のエアコン吹出口用アダプタ装置によれば、アダプタの装着位置は、トリムカバーの上端面だけでなく、運手席後方の壁面等にも装着することができる。
また、前記アダプタが前記受け容器から飛び出すことを防止するストッパ手段を備えている構成とすることが好ましい（請求項７）。
【００１５】
請求項７に記載のエアコン吹出口用アダプタ装置によれば、作業の振動等により、受け容器からアダプタが不用意に飛び出すことを有効に防止することができる。
また、前記ストッパ手段は、前記受け容器の内周部に設けられた係止溝と、前記アダプタの外周部に設けられた係止片であって、前記係止溝と係合する係止片とを含む構成とすることが好ましい（請求項８）。
【００１６】
請求項８に記載のエアコン吹出口用アダプタ装置によれば、簡単な構成でアダプタの飛び出しを防止することができる。
また、前記アダプタは、その内部に収容した前記物品が外へ飛び出すことを防止する飛び出し防止手段を備えている構成とすることが好ましい（請求項９）。
請求項９に記載のエアコン吹出口用アダプタ装置によれば、アダプタを飲料容器のホルダとして使用する際に、作業の振動等により、飲料容器がアダプタ内から飛び出してしまうことを有効に防止することができる。
【００１７】
また、前記飛び出し防止手段は、前記アダプタの内部に設けられた段差である構成とすることが好ましい（請求項１０）。
請求項１０に記載のエアコン吹出口用アダプタ装置によれば、簡単な構成で飲料容器の飛び出しを防止することができる。
また、本発明のエアコン吹出口用アダプタ装置を備えた建設機械は、請求項１〜１０の何れかに記載のエアコン吹出口用アダプタ装置を備えたことを特徴とするものである（請求項１１）。
【００１８】
請求項１１に記載のエアコン吹出口用アダプタ装置を備えた建設機械は、請求項１〜１０の何れかに記載のエアコン吹出口用アダプタ装置を備えているので、通風ダクトの構成を簡素化することができる。
【発明の効果】
【００１９】
請求項１乃至請求項１０の何れかに記載の本発明のエアコン吹出口用アダプタ装置によれば、アダプタを飲料容器のホルダとして使用しない場合は、受け容器に挿し込む方向を換えるだけで、斯かるアダプタを空気吹出口として使用することができ、通風ダクト内の冷風又は温風を無駄なく利用することができる。
また、請求項１１に記載の本発明の建設機械によれば、飲料容器のホルダ専用の通風ダクトを設ける必要がなく、通風ダクトの経路を簡素化できるので、建設機械全体としての製造コスト削減に寄与する。
【図面の簡単な説明】
【００２０】
【図１】建設機械としてのクローラ型油圧ショベルを示す側面図である。
【図２】図１に係る油圧ショベルの運転室の内部を概略的に示す斜視図である。
【図３】実施例１に係るエアコン吹出口用アダプタ装置の構成を示す一部切欠斜視図である。
【図４】実施例１に係るエアコン吹出口用アダプタ装置をカップホルダとして使用した場合の形態を示す縦断面図である。
【図５】実施例１に係るエアコン吹出口用アダプタ装置を空気吹出口として使用した場合の形態を示す縦断面図である。
【図６】実施例２に係るエアコン吹出口用アダプタ装置の図５に対応する縦断面図である。
【図７】実施例３に係るエアコン吹出口用アダプタ装置の図５に対応する縦断面図である。
【図８】実施例４に係るエアコン吹出口用アダプタ装置をボトルホルダとして使用した場合の形態を示す縦断面図である。
【図９】実施例４に係るエアコン吹出口用アダプタ装置の受け容器の端壁を正面からみた図である。
【図１０】実施例４に係るエアコン吹出口用アダプタ装置を空気吹出口として使用した場合の形態を示す縦断面図である。
【発明を実施するための形態】
【００２１】
以下、本発明に係る建設機械の形態を、図面を参照して説明する。
【実施例１】
【００２２】
本発明が適用される建設機械としては特に限定されないが、例えば、図１に示すクローラ型の油圧ショベル２に適用した場合を例に説明する。
図１に示すように、油圧ショベル２は、大きく分けて見たとき、下部走行体４と、この下部走行体４上に配設された上部旋回体６とからなっている。
下部走行体４は、左右のクローラ４と、これらクローラ４をそれぞれ駆動する左右の油圧式走行モータ（図示せず）とを備えている。
【００２３】
上部旋回体６は、下部走行体４上に旋回ベアリング８を介して旋回可能に設けられた上部フレーム１０を備え、この上部フレーム１０上の前部左側に運転室１２が設けられている。また、上部フレーム１０には作業装置が配設されており、この作業装置は運転室１２の右側、即ち、上部フレーム１０の前側中央部から延びるブーム１４を備えている。ブーム１４はその両側の一対のブームシリンダ１６を伸縮させることで起伏される。当該ブーム１４の先にはアーム１８が回動可能に連結され、このアーム１８の先端にはリンク機構２０を介して、バケット２２が取り付けられている。そして、これらアーム１８およびバケット２２もまた、そのアームシリンダ２４およびバケットシリンダ２６の伸縮を受けて回動される。
【００２４】
一方、運転室１２の後方にはエンジン室２８が配設され、このエンジン室２８の中にはエンジン及びこのエンジンに駆動される油圧ポンプ（ともに図示せず）が配設されている。
ここで、図２から明らかなように、運転室１２の内部には、その中央にオペレータＰが座る運転席３０が配設されている。この運転席３０の両サイドには、上述した作業装置の操作レバー３２，３２が設けられ、運転席３０の前方にはクローラの操作をなす走行レバー（図示せず）が設けられている。また、運転席３０の後方には、リアボックス３４が配設されており、運転席３０の右側には、運転室１２の後部から前部にかけてサイドトリム３６が延びている。
【００２５】
これらリアボックス３４及びサイドトリム３６は、合成樹脂製の内装パネルの組み合わせにより形成されており、これらの内部には、エアコンユニット（図示せず）からの冷風又は温風を通す通風ダクトが配設されている。そして、通風ダクトの吹出端部はリアボックス３４及びサイドトリム３６に複数箇所設けられており、これら吹出端部にエアコン吹出口用アダプタ装置３８が配設されている。
【００２６】
次いで、アダプタ装置３８について詳述する。
実施例１に係るアダプタ装置３８は、前述したサイドトリム３６の前側上部に配設され（図２参照）、この前側上部は立ち上がり部として形成されている。
図３からより明らかなように、アダプタ装置３８は立ち上がり部の上面４４に一体的に形成された凹所を備え、この凹所が有底の円筒形状をなす受け容器４６を形成している。この受け容器４６内にはアダプタ４８が挿入されており、このアダプタ４８は有底の円筒形状をなしている。
【００２７】
より詳しくは、受け容器４６は合成樹脂からなり、サイドトリム３６内に突出してカップ形状をなしている。即ち、受け容器４６はサイドトリム３６のトリムカバー５２の上面４４と面一の開口端５０と、閉塞された底壁５４と、外周壁を備えている。そして、図４に示されるように、受け容器４６の外周壁５６には２つの切欠５８を上下に有し、これら切欠５８は外周壁５６の周方向に沿って帯状に延び、容器側通風口５８，５８を形成している。
【００２８】
また、図３に示されるように、受け容器４６の外周壁５６には通風ダクト６０が連結アタッチメント６２を介して連結されている。通風ダクト６０はエアコンユニット（図示しない）から導かれ、サイドトリム３６内に配設されている。連結アタッチメント６２は、受け容器４６と通風ダクト６０との連結を補助する矩形の枠部材であり、受け容器４６との当接面６４、通風ダクト６０との接続面６６を有する。当接面６４は受け容器４６の外周壁５６に合致する円弧面の一部を形成し、容器側通風口５８を囲むようにしての外周壁５６に接続されている。一方、接続面６６は平坦であり、この接続面６６に通風ダクト６０の吹出端部６８が接続されている。
【００２９】
従って、エアコンユニットからの冷風又は温風は、通風ダクト６０及び連結アタッチメント６２を通じて受け容器内４６に導かれる。
一方、アダプタ４８もまた合成樹脂製であり、図３に示すように、全体としては、所謂カップ形状をなしている。即ち、図４から明らかなようにアダプタ４８は、円筒状の胴体７２と、この胴体７２の一端を閉塞する閉塞端７４と、胴体７２の他端を開口した開口端７６とを含んでいる。胴体７２は閉塞端７４から開口端７６にかけてストレート形状をなし、その外径は前述した受け容器４６の内径と同等か僅かに小さい。このため、アダプタ４８は、開口端７６又は閉塞端７４の何れの側からも受け容器４６内に挿入可能である。そして、アダプタ４８の軸方向長さは、受け容器４６の軸方向長さよりも長く、これにより、アダプタ４８が受け容器４６内に挿入され、受け容器４６の底壁５４に当接したとき、アダプタ４８の胴体７２の一部は、受け容器４６、即ち、サイドトリム３６の上面４４より突出し、その残部は、受け容器４６内に没入した状態となる。また、開口端７６の内径は、コップ、缶、ペットボトル等の飲料容器が収容可能となる程度の寸法に設定してある。
【００３０】
ここで、図３から明らかなように、アダプタ４８の胴体７２は、切欠８０，８２，８４，８６を有する。これら切欠８０，８２，８４，８６は胴体７２の周方向に沿って延びる帯状に形成され、胴体７２の軸線方向に互いに離間した状態で平行に並んで配置されている。これら切欠のうち、閉塞端７４側の２個の切欠８０，８２と、開口端７６側の２個の切欠８４，８６はそれぞれ切欠グループを形成している。そして、これら切欠グループは、一方の切欠グループが受け容器４６内に没入している際、他方の切欠グループが受け容器４６から露出するように位置付けられている。
【００３１】
より詳しくは、図４に示されるように、アダプタ４８が閉塞端７４側から受け容器４６内に挿入され、閉塞端７４が受け容器４６の底壁５４に当接した状態のとき、アダプタ４８の切欠８０，８２は、受け容器４６の容器側通風口５８，５８に相対し、互いに連通する。なお、閉塞端７４側の切欠８０，８２を、以下、アダプタ側通風口８０，８２という。
【００３２】
このようにアダプタ側通風口８０，８２が容器側通風口５８，５８と連通すれば、通風ダクト６０を流れてきたエアコンユニットからの冷風又は温風は、矢印Ｆで示されるように、これら通風口５８，５８，８０，８２を通じて、アダプタ４８内に導かれる。この際、アダプタ４８内に受け容器４６から露出した状態にある開口端７６からペットボトルＢ等が挿入され、このペットボトルＢ等がアダプタ４８に保持されていれば、アダプタ４８内のペットボトルＢに冷風や温風が直接吹き付けることができる。このようにして吹き付けられた冷風又は温風はペットボトルＢ等の外周面に沿って周方向に回り込む一方、上昇し、アダプタ４８の開口端７６から運転室内に吹き出される。
【００３３】
一方、図５に示されるように、アダプタ４８がその開口端７６側から受け容器４６内に挿入され、開口端７６が受け容器４８の底壁５４に当接した状態にあるときには、開口端７６側の切欠８４，８６が受け容器４６の容器側通風口５８，５８に相対する。ここで、開口端７６側の切欠８４，８６を、以下、導風口８４，８６という。
このようにアダプタ４８の導風口８４，８６が容器側通風口５８，５８と連通すれば、通風ダクト６０を流れてきたエアコンユニットからの冷風又は温風は導風口８４，８６を通じて矢印Ｆで示すように、アダプタ４８内に導かれる。この後、アダプタ４８内に導かれた冷風又は温風は、受け容器４６から露出したアダプタ側通風口８０，８２を通じて運転室内に吹き出される。
【００３４】
以上のように、本実施例に係るアダプタ装置３８は、アダプタ４８をその閉塞端７４側から受け容器４６内に挿入すれば、ペットボトル等を保持する所謂カップホルダとして機能し、アダプタ側通風口８０，８２を通じて吹き付けられる冷風又は温風により飲料の保冷又は保温を行うことができる。そして、飲料の保冷、保温を行わないときは、アダプタ４８を受け容器４６から抜き出し、その開口端７６側から受け容器４６内に逆さまに挿入する。これにより、通風ダクト６０を流れてきた冷風又は温風は、容器側通風口５８，５８、導風口８４，８６、アダプタ側通風口８０，８２を通り、運転室内に吹き出され、運転室の冷房又は暖房に供される。このため、アダプタ４８をカップホルダとして使用をしない場合でも、通風ダクト内まで導かれた冷風又は温風を有効に利用することができる。
【００３５】
なお、上述のように、アダプタ４８を受け容器４６内に鉛直方向に挿し込むタイプのアダプタ装置３８においては、サイドトリムの上面４４に限らず、図２に示されるように、リアボックス３４の上面４０あるいはサイドトリム３６における中間部分の上面３７に配設することもできる。
次に、実施例２〜４について説明するが、これら実施例２〜４を説明するにあたり、既に説明した実施例と同一の機能を発揮する部材および部位には同一の参照符号を付して、これらの説明は省略し、相違する点のみを説明する。
【実施例２】
【００３６】
図６は、実施例２のアダプタ装置３９を示す。
アダプタ装置３９のアダプタ４９は、前述のアダプタ側通風口８０，８２が１つに纏められたアダプタ側通風口８０を有し、このアダプタ側通風口８０に複数、例えば、４枚の整流フィン９０を備えている。これら整流フィン９０は、閉塞端７４と平行にして上下に配設された扁平な板状体であり、整流フィン９０の外周縁はアダプタ４９の外周面と面一、即ち、外周面と同一の曲率半径を有する円弧形状をなしている。
【００３７】
このアダプタ装置３９によれば、アダプタ４９をカップホルダとして使用しない場合、アダプタ側通風口８０は、整流フィン９０により整流された冷風又は温風を運転室内に吹き出すことができ、例えば、オペレータに効率良く冷風又は温風を送ることができる。
【実施例３】
【００３８】
図７は、実施例３のアダプタ装置４１を示す。
このアダプタ装置４１のアダプタ５１は、実施例２のアダプタ側通風口と同様なアダプタ側通風口８０に整流フィン９０に代えてルーバ９２を備えている。このルーバ９２は、複数、例えば、４枚の羽板９４を備え、これら羽根９４はリンク機構９６により連動して上下方向に揺動可能である。各羽板９４もまた扁平な板状体であり、その外周縁は整流フィン９０での場合と同様に円弧形状をなしている。それ故、ルーバ９２はアダプタ通風口８０から吹き出される冷風又は温風の向きを上下方向に関して任意に調整することができる。
【実施例４】
【００３９】
実施例４のアダプタ装置４２は、リアボックス３４の運転席３０に面した側壁９８に設けられており（図２参照）、その詳細は図８に示されている。
アダプタ装置４２は、円筒状の受け容器１００と、この受け容器１００内に挿抜可能に配設されたアダプタ１０２とを備えており、全体としてリアボックス３４の側壁９８に水平に埋め込まれている。
【００４０】
受け容器１００は合成樹脂からなり、円筒状の胴体１０４と、胴体１０４の一端に設けられた端壁１０６と、胴体１０４の他端を開口させた開口端１０８とを含んでいる。
胴体１０４の内周面には、その周方向に沿って凹溝１１０が設けられている。
端壁１０６には２つの開口１１２が形成されている。図９から明らかなように、これら開口１１２は半円形状をなし、その直線部分を互いに隣接させて配置されている。これら開口１１２は、容器側通風口１１２を形成する。図８から明らかなように、端壁１０６の外面には、通風ダクト６０の吹出端部６８が枠形状をなす連結アタッチメント１１４を介して連結されている。ここでの通風ダクト６０はエアコンユニットから導かれ、リアボックス３４内に配置されている。それ故、通風ダクト６０からの冷風又は温風が、容器側通風口１１２を介して受け容器１００内に送られる。
【００４１】
なお、受け容器１００は、その開口端１０８にてリアボックス３４の側壁９８に一体的に取り付けられている。そして、図８に示されるように開口端１０８はリアボックス３４の側壁９８と面一となるように、斜めの切り口によって形成されている。
一方、アダプタ１０２は合成樹脂からなり、受け容器１００の内部形状と合致するような円筒形状をなしている。即ち、アダプタ１０２は、円筒状の胴体１１６と、胴体１１６の一端に設けられた端壁１１８と、胴体１１６の他端を開口させる開口端１２０とを含んでいる。
【００４２】
胴体１１６の外周面には、周方向に沿って円環状の凸部１２２が形成されている。この凸部１２２は、胴体１１６の長手方向でみて、その中間部に設けられ、前述した受け容器１００の凹溝１１０と係合する係止片１２２を形成している。また、胴体１１６の内周面には、その開口端１２０の近傍に段差１２４が設けられており、この段差１２４はアダプタ開口端１２０に向かって縮径するような雌テーパ形状をなしている。段差１２４は、アダプタ１００内に収容されたペットボトルＢの肩部分Ｂｓが引っ掛かる程度にアダプタ１００の内径を縮径させるものとなっている。
【００４３】
図８から明らかなように、アダプタ開口端１２０は、ストレート形状をなしており、その内径は、ペットボトルＢが余裕をもって挿通可能な寸法に設定されている。
端壁１１８には、前述した容器側通風口１１２と同様な半円形状の開口１２８が２個設けられている。これら開口１２８は、アダプタ側通風口１２８を形成している。
本実施例のアダプタ装置４２によれば、アダプタ１０２をボトルホルダとして使用する場合、図８に示されるように、アダプタ１０２は、その端壁１１８側から受け容器１００内に挿し込まれ、端壁１１８，１０６同士が当接することで、容器側通風口１１２とアダプタ側通風口１２８が互いに合致した状態にある。
【００４４】
それ故、矢印Ｆで示すように通風ダクト６０からの冷風又は温風は、アダプタ１０２内に導入され、これにより、開口端１２０からアダプタ１０２内に挿入されたペットボトルＢは冷風又は温風により、保冷又は保温される。このとき、アダプタ１０２は、その係止片１２２が受け容器１００の凹溝１１０と係合しているので、油圧ショベル２の作業に伴う振動がアダプタ１０２に伝達されても、受け容器１００からのアダプタ１０２の飛び出しは、有効に防止される。また、アダプタ１０２の段差１２４は、アダプタ１０２内に保持されたペットボトルＢの飛び出しを有効に防止する。
【００４５】
ここで、アダプタ１０２をボトルホルダとして使用しない場合、アダプタ１０２は受け容器１００から引き抜かれ、図１０に示されるように、開口端１２０の側から受け容器１００へ逆向きにして挿し込まれる。この際、アダプタ１０２及び受け容器１００は弾性変形し、係止片１２２と凹溝１１０との係合は容易に解除されるとともに、その再係合もまた可能となる。
【００４６】
この場合、アダプタ１０２のアダプタ側通風口１２８は受け容器１００から露出する一方、その開口端１２０が端壁１０６に当接する。従って、通風ダクト６０からの冷風又は温風は、容器側通風口１１２、導風口として機能するアダプタの開口１２６及びアダプタ側通風口１２８を通じて運転室内に吹き出される。このように、アダプタ１０２をボトルホルダとして使用しない場合でも、アダプタ１０２を空気吹出口として利用することができ、通風ダクト６０まで導かれる冷風又は温風を有効に利用することができる。
【００４７】
ここで、アダプタ装置４２は、アダプタ１０２及び受け容器１００の軸線が水平方向となるように配置されているが、この軸線がリアボックス３４の側壁９８に対して直角となるようにアダプタ装置４２を配置することもできる。
なお、本発明は、上記した実施例１〜４に限定されるものではなく、種々の変形が可能である。
【００４８】
上記の実施例においては、受け容器及びアダプタは円筒形状のものについて説明したが、本発明はこの態様に限定されるものではなく、アダプタが受け容器に対して挿抜可能であれば、受け容器及びアダプタは角筒形状等、他の断面形状を有する筒状体を採用しても構わない。
また、実施例１〜３においては、受け容器の内周に凹溝を設け、アダプタの外周に斯かる凹溝に係合する係止片を設けても構わない。
【００４９】
また、実施例４においては、アダプタ側通風口に整流フィンやルーバを設けても構わない。
更に、上記の実施例においては、受け容器の内周に凹溝を設け、アダプタの外周に斯かる凹溝に係合する係止片を設けた態様について説明したが、本発明は、この態様に限定されるものではなく、アダプタが受け容器から飛び出すことを防止するストッパ手段として、アダプタの外周に凹溝を設け、受け容器の内周に斯かる凹溝に係合する係止片を設ける態様を採用しても構わない。
【００５０】
また、上記の実施例においては、クローラ型の油圧ショベルについて説明したが、本発明はこの態様に限定されるものではなく、ホイール式の油圧ショベル等他の建設機械に採用することもできる。
【符号の説明】
【００５１】
２                          油圧ショベル（建設機械）
４                          下部走行体
６                          上部旋回体
１２                        運転室
３４                        リアボックス
３６                        サイドトリム
３８，３９，４１，４２      アダプタ装置
４４                        上面
４６                        受け容器
４８                        アダプタ
５０                        開口端
５２                        トリムカバー
５４                        底壁
５６                        外周壁
５８                        容器側通風口
６０                        通風ダクト
６８                        吹出端部
７２                        胴体
７４                        閉塞端
７６                        開口端
８０，８２                  アダプタ側通風口
８４，８６                  導風口
９０                        整流フィン
９２                        ルーバ
９４                        羽板
９６                        リンク機構
１１０                      凹溝（係止溝）
【図１】
2010162984.tif 000003
【図２】
2010162984.tif 000004
【図３】
2010162984.tif 000005
【図４】
2010162984.tif 000006
【図５】
2010162984.tif 000007
【図６】
2010162984.tif 000008
【図７】
2010162984.tif 000009
【図８】
2010162984.tif 000010
【図９】
2010162984.tif 000011
【図１０】
2010162984.tif 000012